(57)【要約】【課題】遊技部材の排出部から排出される遊技球の入賞率を容易に調整できるようにすること。【解決手段】入賞を契機として特別図柄表示部Ｄに特別図柄の変動を開始させる図柄始動口５と、その図柄始動口５の鉛直上方に形成された排出口３４の入側に遊技球を案内するステージ３３と、そのステージ３３の傾きを調整可能なステージ傾斜調整手段とを設けた。【選択図】　図２
2004129826.tif 000002
【特許請求の範囲】
【請求項１】
上面に入賞口が設けられた遊技構成部材と、当該遊技構成部材の鉛直上方に形成された排出部の入側に遊技媒体を案内する案内部材と、当該案内部材の傾きを調整可能な第１調整手段とを備えたことを特徴とする遊技機。
【請求項２】
前記第１調整手段は、当該遊技機の前面側に操作部を有し、当該操作部の操作状態に応じて前記案内部材の傾きを調整することを特徴とする請求項１に記載の遊技機。
【請求項３】
前記排出部の出側の大きさを調整可能な第２調整手段を備えたことを特徴とする請求項１又は請求項２に記載の遊技機。
【発明の詳細な説明】
【０００１】
【発明の属する技術分野】
本発明は、入賞口の鉛直上方に排出部が形成されて、その排出部の入側に遊技媒体を案内する遊技機に関する。
【０００２】
【従来の技術】
従来、このような遊技機としては、遊技球の流下態様を興趣深くするために、図柄表示部の周囲前方に合成樹脂製の遊技部材が設けられたパチンコ遊技機が知られている。この枠状体の上部には、遊技球の入口が設けられていて、下部内側には、中央に遊技球の排出部が形成された谷状のステージが添設されている。また、上側及び両サイドには、入口とステージ両端とを連通する誘導路が内設されている。そして、遊技領域を流下する遊技球が遊技部材上部の入口に飛び込むと、当該遊技球は、誘導路の内部を流下してステージの端に受け止められたのち、ステージ上を左右に揺動しながら排出部へ導かれて、排出部から排出される。
【０００３】
また、上記遊技部材を設置したパチンコ遊技機では、通常、遊技部材の排出部の下方に図柄始動口が配されており、その図柄始動口への遊技球の入賞を契機として、スロットマシーンに見立てた図柄合わせゲームを前記図柄表示部で行い、そのゲーム結果に基づいて、遊技者にとって有利な特別遊技状態を生起するように構成されている（例えば、特許文献１参照。）。
【０００４】
【特許文献１】
特開平１１−２９０５１４号公報
【０００５】
【発明が解決しようとする課題】
しかしながら、上記従来の遊技機にあっては、遊技部材全体を合成樹脂製としたため、ステージの寸法精度が低く、遊技機毎に図柄始動口への入賞率がばらつくことがあった。そのため、このように図柄始動口への入賞率がばらつくときには、前記ステージの排出部と図柄始動口との間の遊技釘を調整して、当該ばらつきを抑制しなければならず、当該ばらつきの抑制に多くの手間を要していた。
【０００６】
そこで、本発明は上記従来の遊技機の未解決の課題を解決することを目的とするものであって、遊技部材の排出部から排出される遊技球の入賞率を容易に調整できる遊技機を提供することを課題とする。
【０００７】
【課題を解決するための手段】
上記課題を解決するため、請求項１に記載の発明である遊技機は、上面に入賞口が設けられた遊技構成部材と、当該遊技構成部材の鉛直上方に形成された排出部の入側に遊技媒体を案内する案内部材と、当該案内部材の傾きを調整可能な第１調整手段とを備えたことを特徴とするものである。
【０００８】
また、請求項２に記載の発明は、請求項１に記載の遊技機において、前記第１調整手段は、当該遊技機の前面側に操作部を有し、当該操作部の操作状態に応じて前記案内部材の傾きを調整することを特徴とする。
更に、請求項３に記載の発明は、請求項１又は請求項２に記載の遊技機において、前記排出部の出側の大きさを調整可能な第２調整手段を備えたことを特徴とするものである。
【０００９】
したがって、請求項１に記載の発明である遊技機にあっては、案内部材の傾きを調整できるようにしたため、例えば案内部材の寸法精度が低いために、当該案内部材の排出部から排出される遊技媒体の入賞率が小さくなってしまうときには、当該排出部の入側に案内される遊技媒体の揺動が小さくなるように当該案内部材の傾きを調整することによって、当該遊技媒体を鉛直下方に排出することができ、当該入賞率を容易に大きくすることができる。また、例えば前記入賞率が大きくなってしまうときには、前記排出部の入側に案内される遊技媒体の揺動が大きくなるように前記案内部材の傾きを調整することによって、当該遊技媒体を鉛直下方から外れたところに排出することができ、当該入賞率を容易に小さくすることができる。
【００１０】
また、請求項２に記載の発明である遊技機にあっては、当該遊技機の前面側に操作部を有し、当該操作部の操作状態に応じて前記案内部材の傾きを調整するようにしたため、当該遊技機の前面側から操作部を操作することによって、前記案内部材の傾きを容易に調整することができる。
更に、請求項３に記載の発明である遊技機にあっては、排出部の出側の大きさを調整できるようにしたため、例えば案内部材の寸法精度が低いために、当該案内部材の排出部から排出される遊技媒体の入賞率が小さくなってしまうときには、当該排出部から排出される遊技媒体の揺動が小さくなるように当該排出部の出側を小さくすることによって、当該遊技媒体を鉛直下方に排出することができ、当該入賞率を容易に大きくすることができる。また、例えば前記入賞率が大きくなってしまうときには、前記排出部から排出される遊技媒体の揺動が大きくなるように当該排出部の出側を大きくすることによって、当該遊技媒体を鉛直下方から外れたところに排出することができ、当該入賞率を容易に小さくすることができる。
【００１１】
【発明の実施の形態】
以下、本発明をパチンコ機に適用した場合の実施形態につき、図面に基づいて説明する。
図１は、本発明の第１実施形態のパチンコ機の正面図であって、パチンコ機１の機枠２には、前面枠３が左側縁を蝶着された状態で設けられていて、その上半部には、遊技盤４が嵌め込まれている。また、遊技盤４の表面には、遊技球を流下可能な遊技領域Ｐが形成されている。この遊技領域Ｐには、遊技釘、風車、電飾を含む装飾部材等が設置されていて、その中央には、液晶ディスプレイ（ＬＣＤ）１５が特別図柄表示部Ｄを露出した状態で埋設されている。
【００１２】
また、特別図柄表示部Ｄの周囲前方には、遊技部材２０が設置されている。この遊技部材２０の下方には、上面に図柄始動口５を配し下部にチューリップ型の普通電動役物８を配した遊技構成部材１６が設置されている。またそれらの下方には、前開き型の大入賞口６が設置されている。また更に、大入賞口６の下方には、７セグメント方式により１桁の数字を表示可能な普通図柄表示部１０が設けられている。加えて、遊技部材２０の両側方には、普通図柄変動ゲート７，７が設置されている。なお、図柄始動口５、大入賞口６、普通図柄表示部１０は、遊技領域Ｐの鉛直中心線上に設置されている。
【００１３】
また、遊技盤４前方には、ガラス枠１１が前面枠３に左側部を蝶着されることによって、片開き自在に設置されている。また、前面枠３の下半部には、供給皿１２と貯留皿１３とが設置されている。更に、貯留皿１３の右側には、操作ハンドル１４が突設されている。この操作ハンドル１４は、パチンコ機１内部に設けられた発射装置（図示せず）に連結されていて、回動操作の度合に応じた強度で、供給皿１２から導入した遊技球を遊技領域Ｐに打ち込むようになっている。
【００１４】
このようなパチンコ機１では、遊技者によって打ち込まれた遊技球が図柄始動口５に入賞すると、特別図柄表示部Ｄに表示された３つの特別図柄が変動を開始し、所定時間後に順に停止表示される。また、全て停止表示された際の図柄が特定の組合せ（例えば「７，７，７」）であると、電飾等が作動するともに、大入賞口６が所定回数断続的に開成する所謂大当たり状態となる。そして、遊技球が大入賞口６に入賞すると、他の入賞口に入賞した場合と比較してより多くの賞品球が払い出されるため、遊技者は多くの賞品球を獲得することができる。
【００１５】
図２は、遊技部材２０の説明図である。遊技部材２０は、ほぼ特別図柄表示部Ｄ大の開口部を有する太枠体であって、前方から後方にかけて、前層、後層の２層構造となっている。各層は合成樹脂で形成されていて、ほぼ遊技球１個分の厚さとされている。そして、遊技部材２０は、開口部全体で特別図柄表示部Ｄ全体を包囲した状態で、後層をＬＣＤ１５表側に密着させている。なお、遊技部材２０は、遊技盤４に後層を埋め込んだ状態で、ネジ孔２８，２８・・を介して螺着されている。
【００１６】
前層は、後層からほぼ上半分のみに亘って突出した状態で設けられた、球導入部２１とされている。この球導入部２１の上部中央には、突出部２２が設けられている。なお、突出部２２上部には、入賞口が設けられている。
後層は、ほぼ特別図柄表示部Ｄ大の開口部を有する枠状体となっており、その枠状体の上側部から両サイド部に亘って、遊技球が通過可能な空間を内包する誘導路３０，３０が形成されている。各誘導路３０の下端内側には、それぞれ上記空間と連通した球出口３１が設けられている。また、その枠状体の上辺部中央の内部には、前方に伸びた振分部が球導入部２１の導入路及び双方の誘導路３０，３０と連通した状態で形成されている。なお、上部中央には、Ｕ状の入賞球ガイドが入賞口に対して添設されている。
【００１７】
更に、後層の枠状体の下辺部であって、球出口３１，３１の間には細く長い溝３２が設けられていて、その溝３２には、谷形のステージ３３が後端ほど高くなるように配されている。また、ステージ３３の中央、つまり図柄始動口５の鉛直上方には、排出口３４が前方を深くし幅をほぼ遊技球２個分にした半円状に形成されている。更に、ステージ３３前方は、中央の排出口３４で分離されたガード３５，３５が設けられている。このガード３５，３５は、ステージ３３前面の厚さよりも高く突出されている。
【００１８】
そして、遊技者によって打ち込まれた遊技球が遊技部材２０上部の球入口２３を通過すると、導入路を経て振分部へ導入されて誘導路３０に導出される。また、誘導路３０に導出された遊技球は、球出口３１を介してステージ３３へ案内される。そして、ステージ３３上をガード３５と接触しながら左右に数回揺動し、図柄始動口５の鉛直上方にある排出口３４から排出される。
【００１９】
図３は、ステージ３３の説明図である。ステージ３３は、溝３２に前方側が軸支されて回動自在に設けられている。また、このステージ３３の上面には、浅い円形の凹部３６が左右に形成されている。更に、この凹部３６の中央には、ネジ孔３７が設けられている。そして、ステージ３３は、溝３２との間にゴムブッシュ３８を挟んだ状態で、当該溝３２にネジ孔３７を介して螺着されて、ステージ傾斜調整機構が構成されている。そのため、例えばネジを締めるとゴムブッシュ３８が圧縮変形され、ステージ３３の後端が下がって傾斜が小さくなる。逆に、ネジを緩めるとゴムブッシュ３８が復元し、ステージ３３の後端が上がって傾斜が大きくなる。なお、凹部３６には、くぼみを埋める蓋部材が設けられている。
【００２０】
このように本実施形態にあっては、ステージ３３の傾きを調整できるステージ傾斜調整機構を構成したため、例えばステージ３３の寸法精度が低いために、前記排出口３４から排出される遊技球の図柄始動口５への入賞率が小さくなってしまうときには、当該排出口３４の入側に案内される遊技球の揺動が小さくなるように当該ステージ３３の傾きを小さくすることによって、当該遊技球を鉛直下方に排出することができ、当該入賞率を容易に大きくすることができる。また、例えば前記入賞率が大きくなってしまうときには、前記排出口３４の入側に案内される遊技球の揺動が大きくなるように前記ステージ３３の傾きを大きくすることによって、当該遊技球を鉛直下方から外れたところに排出することができ、当該入賞率を容易に小さくすることができる。
【００２１】
また、例えば遊技領域Ｐに滞留する遊技球が少ないために、当該遊技球の転動による演出効果が小さくなってしまうときには、前記ステージ３３の傾きを小さくすることによって、当該ステージ３３において遊技球の滞留時間を延ばすことができ、遊技領域Ｐに滞留する遊技球を容易に増やすことができる。また、例えば遊技領域Ｐに滞留する遊技球が多くなりすぎるときには、当該ステージ３３の傾きを大きくすることによって、当該ステージ３３における遊技球の滞留時間を縮めることができ、遊技領域Ｐに滞留する遊技球を容易に減らすことができる。そのため、このようなパチンコ機１が設置される遊技場にあっては、前記ステージ３３の傾きを調整することによって、遊技領域Ｐに滞留する遊技球を営業形態に応じたものとすることができる。
【００２２】
図４は、ガード３５の説明図である。このガード３５，３５の背面には、当該ガード３５，３５と同じ高さの突起物３９，３９が設けられている。この突起物３９，３９には、ガード３５，３５の長手方向に沿ってスライドするスライドレバー４０，４０が形成されて、排出口幅調整機構が構成されている。そして、例えばスライドレバー４０，４０を排出口３４に近づける方向へスライドさせると、突起物３９，３９がガード３５，３５の背面から現れて排出口３４の出側の幅が小さくなる。逆に、スライドレバー４０を排出口３４から遠ざける方向へスライドさせると、突起物３９，３９がガード３５，３５の背面に隠れて排出口３４の出側の幅が大きくなる。
【００２３】
このように本実施形態にあっては、排出口３４の出側の幅を調整できる排出口幅調整機構を構成したため、例えばガード３５，３５の寸法精度が低いために、当該排出口３４から排出される遊技球の図柄始動口５への入賞率が小さくなってしまうときには、当該排出口３４から排出される遊技球の揺動が小さくなるように当該排出口３４の出側の幅を小さくすることによって、当該遊技球を鉛直下方に排出することができ、当該入賞率を容易に大きくすることができる。また、例えば前記入賞率が大きくなってしまうときには、前記排出口３４から排出される遊技球の揺動が大きくなるように当該排出口３４の出側の幅を大きくすることによって、当該遊技球を鉛直下方から外れたところに排出することができ、当該入賞率を容易に小さくすることができる。
【００２４】
次に、本発明の第２実施形態のパチンコ機を図面に基づいて説明する。
第２実施形態のパチンコ機は、ステージ傾斜調整機構の構成の他は、第１実施形態のパチンコ機１と全く同様である。図５は、第２実施形態のパチンコ機のステージ傾斜調整機構の説明図であって、ステージ３３は、溝３２に前方側が軸支されて回動自在に設けられている。また、このステージ３３の下面には、溝３２を貫通して下方に延びている突設部４１が形成されている。更に、このステージ３３の下方であって、遊技部材２０の前面には浅い円形の凹部４２が左右に形成されていて、当該凹部４２の中央にはネジ４３が螺合されている。また更に、ステージ３３の下方には、角部で回動自在に軸支されたＬ字状部材４４が設けられていて、このＬ字状部材４４の長辺側にはネジ４３の先端が当接している。そして、ステージ３３は、突設部４１の先端がＬ字状部材４４の短辺側に当接する状態で、当該Ｌ字状部材４４に支持されて、ステージ傾斜調整機構が構成されている。そのため、例えばネジ４３を締めるとＬ字状部材４４の短辺側が上向きに回転し、ステージ３３の後端が上がって傾斜が大きくなる。逆に、ネジを緩めるとＬ字状部材４４の短辺側が下向きに回転し、ステージ３３の後端が下がって傾斜が小さくなる。
【００２５】
このように本実施形態にあっては、前記遊技部材２０の前面側にネジ４３を配し、そのネジ４３の螺合状態によって前記ステージ３３の傾きを調整するようにステージ傾斜調整機構を構成したため、パチンコ機１の前面側から当該ネジ４３を締めたり緩めたりすることによって、当該ステージ３３の傾きを容易に調整できる。
【００２６】
次に、本発明の第３実施形態のパチンコ機を図面に基づいて説明する。
第３実施形態のパチンコ機は、ステージ３３にクルーン４５を設けた他は、第１実施形態のパチンコ機１と全く同様である。図６は、第３実施形態にかかるパチンコ機のクルーン４５の説明図である。クルーン４５は、役物穴４６ａ〜４６ｃが形成された円盤で構成されていて、役物穴４６ａに入った遊技球を図柄始動口５の鉛直上方にある排出口から排出し、且つ、役物穴４６ｂ，４６ｃに入った遊技球を入賞可能性のない排出口から排出するように構成されている。そして、遊技者によって打ち込まれた遊技球が円盤上に落下すると、その円盤上を円運動しながら数回揺動し、役物穴４６ａ〜４６ｃのいずれかに入って図柄始動口５の鉛直上方にある排出口等から排出される。
【００２７】
また、図７に示すように、クルーン４５の上面には、浅い円形の凹部４７が左右に形成されていて、この凹部４７の中央には、ネジ孔４８が設けられている。そして、クルーン４５は、ステージ３３との間にゴムブッシュ４９を挟んだ状態で、ネジ孔４８を介して螺着されて、クルーン傾斜調整機構が構成されている。そのため、例えばネジを締めるとゴムブッシュ４９が圧縮変形され、クルーン４５の当該ネジ側が下がって当該クルーン４５が傾く。逆に、ネジを緩めるとゴムブッシュ４９が復元し、クルーン４５の当該ネジ側が上がって当該クルーン４５が傾く。なお、凹部４７には、くぼみを埋める蓋部材が設けられている。
【００２８】
このように本実施形態にあっては、クルーン４５の傾きを調整できるクルーン傾斜調整機構を構成したため、例えばクルーン４５の寸法精度が低いために、図柄始動口５の鉛直上方にある排出口からの入賞率が小さくなってしまうときには、当該排出口の入側に案内される遊技球の揺動が小さくなるように当該クルーン４５の傾きを調整することによって、当該遊技球を鉛直下方に排出することができ、当該入賞率を容易に大きくすることができる。また、例えば前記入賞率が大きくなってしまうときには、前記排出口の入側に案内される遊技球の揺動が大きくなるように前記クルーン４５の傾きを調整することによって、当該遊技球を鉛直下方から外れたところに排出することができ、当該入賞率を容易に小さくすることができる。
【００２９】
なお、上記実施の形態にあっては、遊技構成部材１６は遊技構成部材に対応し、ステージ３２及びクルーン４５は案内部材に対応し、ステージ傾斜調整機構及びクルーン傾斜調整機構は第１調整手段に対応し、ネジ４３は操作部に対応し、排出口幅調整機構は調整可能な第２調整手段に対応する。
また、上記実施の形態は本発明の遊技機の一例を示したものであり、遊技機の構成等を限定するものではない。
【００３０】
例えば上記実施の形態では、入賞率のばらつきが抑制されるようにステージ３３やクルーン４５の傾きを調整する例を示したが、これに限定されるものではなく、例えば遊技場の経営者が所望する入賞率となるように当該傾きを調整してもよい。当該傾きを調整して所望の入賞率とする方法によれば、当該入賞率を図柄始動口５近傍の遊技釘で調整する方法に比べて、遊技者が当該入賞率の調整結果を外見から見抜きづらくなるため好ましい。
【００３１】
【発明の効果】
以上、説明したように本発明の遊技機にあっては、例えば案内部材の寸法精度が低いために、当該案内部材の排出部から排出される遊技媒体の入賞率が小さくなってしまうときには、当該排出部の入側に案内される遊技媒体の揺動が小さくなるように当該案内部材の傾きを調整することによって、当該遊技媒体を鉛直下方に排出することができ、当該入賞率を容易に大きくすることができる。また、例えば前記入賞率が大きくなってしまうときには、前記排出部の入側に案内される遊技媒体の揺動が大きくなるように前記案内部材の傾きを調整することによって、当該遊技媒体を鉛直下方から外れたところに排出することができ、当該入賞率を容易に小さくすることができる。
【図面の簡単な説明】
【図１】本発明の遊技機の一実施形態を示す概略構成図である。
【図２】図１の遊技部材を拡大して示す要部拡大図である。
【図３】ステージ傾斜調整機構を破断して示す要部拡大図である。
【図４】排出口幅調整機構を拡大して示す要部拡大図である。
【図５】第２実施形態のステージ傾斜調整機構を破断して示す要部拡大図である。
【図６】第３実施形態のクルーンを示す概略構成図である。
【図７】クルーン傾斜調整機構を破断して示す要部拡大図である。
【符号の説明】
１はパチンコ機
４は遊技盤
５は図柄始動口
１６は遊技構成部材
２０は遊技部材
２１は球導入部
２２は突出部
２３は球入口
３０は誘導路
３１は球出口
３３はステージ
３４は排出口
３５はガード
３９は突起物
４０はスライドレバー
４５はクルーン
４６ａ，４６ｂ，４６ｃは役物穴
【図１】
2004129826.tif 000003
【図２】
2004129826.tif 000004
【図３】
2004129826.tif 000005
【図４】
2004129826.tif 000006
【図５】
2004129826.tif 000007
【図６】
2004129826.tif 000008
【図７】
2004129826.tif 000009